(57)【要約】      （修正有）【課題】メモ複数枚でも１枚でもより前倒を少なくし、後倒を大きくする事で目視出来る範囲を広げ、かつ後方転倒を防ぎ、台の前部を形成、配色する事でメモとの一体化を図り機能と訴求力の有るメモスタンドを提供する。【解決手段】メモスタンドは、メモの厚さ、枚数で決められたメモの設置幅に応じて設けた台切り抜き部７、８、９、１０に、支え板１１、１２の突起部１３、１４、１５、１６を挿入し、台１、２に固定する。メモの目視出来る範囲を最大限確保する為、前部支え板１１を後部支え板１２より高くし、かつメモ１枚でもより前倒しない範囲の角度になるように設定し、後部支え板はメモの後倒をより多くし、メモ後倒時の転倒を防ぐ範囲で低く設定する。メモスタンドの後方転倒は台後部先端５、６を後部支え板より突き出す事で防ぐ。またメモのモチーフに合わせ、台の先端部３、４の形状と配色を行う。【選択図】図１
0003198352.tif 000002
【実用新案登録請求の範囲】
【請求項１】
メモの厚さ、数量に合わせ設定されたメモ設置幅において、メモの形状に合わせ、支え板状態前部を後部支え板状態より高くする事でメモの前倒角度を最小に防ぎ、後部支え板状態を低くし、後倒を大きくすることで、目視出来る範囲の調整と広げる機能を特徴としたメモスタンド。
【請求項２】
請求項１に記載のメモスタンドにおいて、メモの後倒が大きくなりメモの重心が後方に位置しても、台の後部をメモ設置後部支え板状態より突き出す長さを調整する事により、メモスタンドの転倒を防ぐ機能を特徴としたメモスタンド。
【請求項３】
請求項１または請求項２に記載のメモスタンドにおいて台の前部をメモのモチーフに合わせ形状、配色を行う事により、メモとの一体化を形成する事を特徴としたメモスタンド
【考案の詳細な説明】
【技術分野】
【０００１】本考案は自立した複数のメモカードの収納を行い、１枚でも目視出来る傾斜角度を維持し、又装着したメモカードの転倒を防止する機能と、台がメモカ−ドのモチーフに対応した形状と配色を有し一体化されて、構成されたメモスタンドに関する。
【背景技術】
【０００２】従来メモを自立させる場合、特許文献１は挟み込み等で固定したものが開示されている、特許文献２は溝の底辺を傾斜させたものが開示されている。
【先行技術文献】
【特許文献】
【０００３】
【特許文献１】特許公開２００４−２０３０５３公報
【特許文献２】特許公開２００４−１９５１６０公報
【考案の概要】
【考案が解決しようとする課題】
【０００４】複数枚のメモから１枚まで使用時に、メモの枚数が少なくなるにつれメモが前倒、もしくは後倒して目視出来る状態を維持するのが難しくなる。
又メモの目視範囲を広げる場合、メモの形状や重さ、後倒角度によりメモスタンドの転倒が発生する。
メモの訴求効果を高めるには単なるメモスタンドではなく際立ったデザイン性を持たすことが必要である。【０００５】そこで本考案は、複数枚から１枚迄、形状、重さに係わらず、安定してメモを目視出来る状態の維持と転倒を防止することを目的とし、メモの訴求効果を計る為に、台の形状と配色によりメモのモチーフと一体化する事が課題である。
【課題を解決するための手段】
【０００６】（１）本考案の第１の態様は、２本の台もしくは１枚の台の上にメモを両側から支えるためにメモの前方、後方に板状態のものを配置し、常時メモを目視出来る状態を維持するために、前後の支え板状態の高さを変えることにより、メモの前倒の防止と後倒角度を調整する機能を持たせる。【０００７】（２）本考案の第２の態様は、メモの支えになる板状状態の間に置かれたメモにおいて２本の台もしくは１枚の台の前方は、先端が前倒したメモの重心より前方に位置し、台の後方の先端はメモが後倒状態に有る場合、メモの形状や重量に合わせ、後方支え板状態より突きだし、長さを調整する事でメモスタンド転倒防止を防ぐ機能を持たせる。【０００８】（３）本考案の第３の態様は、前方支え板状態から突き出した台の前方先端部をメモのモチーフに合わせた形状や配色をもたせ、メモとメモスタンドを一体化して構成したものである
【考案の効果】
【０００９】本考案を使用するにあたりメモの形状、重さに係わらず、台に配置した支え板状態の高さは、前方の高さを後方より高く設定し、メモが少なくなり前倒しても、高さを高く調整する事で前倒を少なくし維持する事が出来る。    又後方に配置した支え板状態は前方より低く設定され、メモの後倒角度を大きくする事で目視出来る範囲が広くなる。
メモの形状、重さにより、メモ台の前方の先端と後方の先端は必ず突き出し、長さの調整でメモスタンドの転倒を防ぐ。
台の前部をメモのモチーフに合わせて形状や配色を行い、メモとメモスタンドの一体化がなされメモの訴求力を高める。
【図面の簡単な説明】
【０００１０】
【図１】本考案の実葹例に係わるメモスタンドの構成部品を示す平面図である
【図２】本考案の実葹例に係わるメモスタンド利用態様示す則面図である
【図３】本考案の実葹例に係わるメモスタンドの利用態様を示す則面図である
【図４】本考案の実葹例に係わるメモスタンド組み立て態様を示す平面図である
【考案を実葹するための形態】
【００１１】以下、本考案を図示する実葹形態に基づいて説明する。
【００１２】図１は本考案実葹例に係わるメモスタンドの構成部品４枚の板状態１、２、１１、１２を組み立て構成される。
【００１３】図１における板状態１１、１２の突起部１３、１４、１５、１６を台切り抜き加工部７、８、９、１０に挿入させ固定させる形状を持たせる。
【００１４】図２における設置幅１９においてメモ前倒時、後倒時の角度を図２における前部支え板状態１１の高さ１７と、後部支え板状態１２の高さ１８を、メモの形状、重さに合わせ前倒時、後倒時のメモの角度を調整出来る機能を持つ。
【００１５】図１おける台１、２の先端部３、４は図２における前部支え板状態１１より前でメモのモチーフに合わせ形成し、台の後部先端５、６は後部支え板状態１２より突き出し転倒防止機能を持つ。
【実葹例】
【００１６】必要とするメモの形状により図１の決められた台１、２と支え板状態１１、１２に於いて、台の切り抜き加工部７．８．９．１０に支え板１１、１２の突起部１３、１４、１５、１６を挿入する事で設定された図２のメモ設置幅１９が固定される。
【００１７】図２の設定された設置幅１９においてメモ前倒時の目視角度２４はメモ１枚時の裏面２３の下部先端が２１に位置し、表面２２が前部支え板の１７に位置した角度になり前倒の角度２４をメモの形状により支え板状態１１の高さで調整する。
【００１８】図３の設定された設置幅１９においてメモ後倒時の目視角度２４は図３に於けるメモ１枚時の表面２２の下部先端が２０に位置し、裏面２３が後部支え板の１８に位置した場合、図３の１８の高さを調整し、最大目視範囲で目視角度２４を維持する高さに設定する。
【００１９】図４おける後部先端５、６が設置された支え版状態１２より突き出し、長さを調節する事により図３のメモの後倒目視角度２４を広げてもメモスタンドの転倒を防止出来る。
【００２０】図４に於ける先端部３、４は支え板状態１１から前部の範囲においてメモのモチーフに合わせた形状、配色でメモとの一体化を構成する。
【産業上の利用可能性】メモカード等を複数毎保存用のメモスタンドであるが、装飾用として机上その他に設置する用途として使用する。
【符号の説明】
【００２１】１：左台を構成する板状態
２：右台を構成する板状態
３：１の犬のモチーフに合わせた足形の前部先端部
４：２の犬のモチーフに合わせた足形の前部先端部
５：１の板状体の後部先端
６；２の板状体の後部先端
７：１１を固定する突起部１３を挿入する切り抜き部
８：１１を固定する突起部１４を挿入する切り抜き部
９：１２を固定する突起部１５を挿入する切り抜き部
１０：１２を固定する突起部１６を挿入する切り抜き部
１１：メモを支える前部板状態
１２：メモを支える後部板状態
１３：１１を固定する突起部
１４：１１を固定する突起部
１５：１２を固定する突起部
１６：１２を固定する突起部
１７：メモを支える前部板状態１１の上部
１８：メモを支える後部板状態１２の上部
１９：メモを設置する幅
２０：メモ設置部前方底部
２１：メモ設置部後方底部
２２：メモ表部
２３：メモ裏部
２４：メモの目視角度
【図１】
0003198352.tif 000003
【図２】
0003198352.tif 000004
【図３】
0003198352.tif 000005
【図４】
0003198352.tif 000006
【手続補正書】
【提出日】平成27年4月1日(2015.4.1)
【手続補正１】
【補正対象書類名】実用新案登録請求の範囲
【補正対象項目名】全文
【補正方法】変更
【補正の内容】
【実用新案登録請求の範囲】
【請求項１】
メモを設置する台１，２は挿入孔７，８，９，１０を有しメモを挟持する２枚の板状体１１，１２の各左右の突起部１３，１４，１５，１６を挿入固定し後部板状体の高さ１８を前部板状体１７の高さよりも低くする事を特徴としたメモスタンド
【請求項２】
請求項１に記載のメモスタンドに於いて
台の後部先端５，６がメモを挟持する後部板状体１２よりも後方に位置することを特徴としたメモスタンド
【請求項３】
請求項１または請求項２に記載のメモスタンドにおいて台の前部３．４をメモのモチーフに合わせた形状、配色を行う事によりメモとの一体化を図り形成する事を特徴としたメモスタンド